(57)【要約】【課題】浴室のスペースを出来る限り広く設定することができ、また、壁パネル間の目地に簡単に安定したシールを施すことのできる壁パネルの接合構造を提供する。【解決手段】浴室の壁面を覆うように複数枚の壁パネル１を接合する構造において、各壁パネル１を浴室の壁面全幅に対応する横長のものとし、各壁パネル１の上下縁に溝状の雌実５を設け、浴室の隅にコーナーアングル７を建て付け、浴室下部に壁パネルスターター８を固定し、この壁パネルスターター８から複数枚の壁パネル１を板状の雄実１０を介して積み上げるように接合する。また、雄実１０に長さ方向に延びるパッキン１１を取り付けておき、このパッキン１１を下段側の壁パネル１と上段側の壁パネル１との間に挟み込んで、壁パネル１間の目地の水密を保持する。【選択図】図１
2005336964.tif 000002
【特許請求の範囲】
【請求項１】
浴室の壁面を覆うように複数枚の壁パネルを接合する構造において、各壁パネルを浴室の壁面全幅に対応する横長のものとし、各壁パネルの上下縁に溝状の雌実を設け、浴室の隅にコーナーアングルを建て付け、浴室下部に壁パネルスターターを固定し、この壁パネルスターターから複数枚の壁パネルを板状の雄実を介して積み上げるように接合することを特徴とする浴室用壁パネルの接合構造。
【請求項２】
前記雄実に長さ方向に延びるパッキンを取り付けておき、このパッキンを下段側の壁パネルと上段側の壁パネルとの間に挟み込んで、壁パネル間の目地の水密を保持するようにしたことを特徴とする請求項１に記載の浴室用壁パネルの接合構造。
【発明の詳細な説明】
【技術分野】
【０００１】
この発明は、浴室の施工に際し、浴室の壁面を覆うように複数枚の壁パネルを接合する構造に関するものである。
【背景技術】
【０００２】
一般に、ユニットバスは、図６に示すように、浴槽５１、洗い場の防水パン５２及び各壁面を覆う複数枚の壁パネル５３を一体に接合して構成される。各壁パネル５３は、浴室下部から天井に至る縦長のものとされている。
【０００３】
従来、壁パネル５３としては、図４に示すように、フレキシブルボード５４を裏面側から枠材５５で補強したものが使用されている。これらの壁パネル５３同士は、断面コ字状の連結材５６を後向きにして、隣接する縦方向の枠材５５に当接させ、固定することにより接合される。
【０００４】
また、壁パネル５３として、図５に示すように、化粧鋼板の周縁部を曲げ加工したものが使用されることもある。この壁パネル５３は、強度が不足するため、壁パネル５３同士の接合に際しては、断面コ字状の連結材５７を二重にして前向きにし、これらの連結材５７で壁パネル５３の隣接する曲げ部分を抱き込むようにしている。
【０００５】
そして、上記のように壁パネル５３を接合した後、壁パネル５３間の目地がシールされる。この際、目地の両側にマスキングテープを貼り付け、シリコンガンで流動性のシリコン系シール剤を目地に注入し、このシール剤の硬化に伴い止水性が得られるようにしている。また、細長い楔状の弾性シール材を目地に打ち込んでシールすることもある。
【発明の開示】
【発明が解決しようとする課題】
【０００６】
しかしながら、上記のような壁パネルの接合構造では、裏側に連結材による大きな突出部が生じるため、既存建物の浴室をリフォームする場合、壁パネルが浴室の内側へ迫り出して設置され、浴室のスペースが狭くなるという問題がある。
【０００７】
また、壁パネル間の目地のシール作業に手間がかかるほか、施工者により止水性能にばらつきが生じやすいという問題もある。
【０００８】
そこで、この発明は、浴室のスペースを出来る限り広く設定することができ、また、壁パネル間の目地に簡単に安定したシールを施すことのできる壁パネルの接合構造を提供することを課題とする。
【課題を解決するための手段】
【０００９】
上記課題を解決するため、この発明は、浴室の壁面を覆うように複数枚の壁パネルを接合する構造において、各壁パネルを浴室の壁面全幅に対応する横長のものとし、各壁パネルの上下縁に溝状の雌実を設け、浴室の隅にコーナーアングルを建て付け、浴室下部に壁パネルスターターを固定し、この壁パネルスターターから複数枚の壁パネルを板状の雄実を介して積み上げるように接合することとしたのである。
【００１０】
また、前記雄実に長さ方向に延びるパッキンを取り付けておき、このパッキンを下段側の壁パネルと上段側の壁パネルとの間に挟み込んで、壁パネル間の目地の水密を保持するようにしたのである。
【発明の効果】
【００１１】
上記のような壁パネルの接合構造では、浴室の壁面に縦方向の壁パネルの継目が生じることがなく、壁パネル同士を裏側に突出する連結材で接合する必要がないので、浴室のスペースを可能な限り広く確保することができる。
【００１２】
また、浴室の天井の高さは壁面の幅に比べて比較的均一な寸法となっているため、多種類の上下寸法の壁パネルを用意しておく必要がなく、壁パネルのストックを削減し、歩留まりを向上させることができる。
【００１３】
また、雄実に取り付けておいたパッキンを下段側の壁パネルと上段側の壁パネルとの間に挟み込むだけで、壁パネル間の目地を簡単にシールすることができ、安定したし止水性能を得ることができる。
【発明を実施するための最良の形態】
【００１４】
以下、この発明の実施形態を図１乃至図３に基づいて説明する。
【００１５】
図３に示すユニットバスは、浴槽５１、洗い場の防水パン５２及び浴室の各壁面を覆う複数枚の壁パネル１を一体に接合して構成される。各壁パネル１は、浴室の壁面全幅に対応する横長の形状とされ、天井まで積み上げて接合される。
【００１６】
壁パネル１の構造は、図１及び図２に示すように、表面を樹脂でコーティングした化粧鋼板２と鍍金鋼板３との間に石膏ボード４を挟み込み、上下縁に溝状の雌実５を設け、上縁の雌実５の両端部にボルト穴６を形成したものとされている。
【００１７】
この壁パネル１を使用してユニットバスを施工する際には、まず、浴室の隅にコーナーアングル７を建て付け、防水パン５２の縁部に壁パネルスターター８を固定し、壁パネルスターター８に最下段となる壁パネル１の下縁の雌実５を落とし込み、この壁パネル１をボルト穴６を介したボルト９のねじ込みによりコーナーアングル７に固定する。
【００１８】
次に、この壁パネル１の上縁の雌実５に板状の雄実１０を差し込み、その後、雄実１０に二段目となる壁パネル１の下縁の雌実５を落とし込んで、この壁パネル１をコーナーアングル７に固定し、同様にして、三段目以上の壁パネル１も雄実１０を介して積み上げるように接合する。
【００１９】
ここで、雄実１０には、長さ方向に延びるパッキン１１が取り付けられているので、壁パネル１を積み上げる際、下段側の壁パネル１と上段側の壁パネル１との間にパッキン１１が挟み込まれ、上段側の壁パネル１の自重によりパッキン１１が圧縮されて、壁パネル１間の目地がシールされる。
【００２０】
上記のような壁パネル１の接合構造では、浴室の壁面に縦方向の壁パネル１の継目が生じることがなく、従来の接合構造のように、壁パネル１同士を裏側に突出する連結材で接合する必要がないので、浴室のスペースを可能な限り広く確保することができる。
【００２１】
また、浴室の天井の高さは壁面の幅に比べて比較的均一な寸法となっているため、多種類の上下寸法の壁パネル１を用意しておく必要がなく、壁パネル１のストックを削減し、歩留まりを向上させることができる。
【００２２】
また、雄実１０に取り付けておいたパッキン１１を下段側の壁パネル１と上段側の壁パネル１との間に挟み込むだけで、壁パネル１間の目地を簡単にシールすることができ、施工性が向上すると共に、安定した止水性能を得ることができる。
【００２３】
そのほか、浴室壁面のデザインにおいて、横方向に広がりのある図柄を、縦方向の目地で分断されることなく表現できるので、限られたスペースの浴室であっても、広く感じさせるような演出が可能となる。
【図面の簡単な説明】
【００２４】
【図１】この発明に係る浴室用壁パネルの接合構造の施工要領を示す斜視図
【図２】同上の壁パネルの接合部を示す拡大断面図
【図３】同上の接合構造により構成したユニットバスの概略図
【図４】従来の壁パネルの接合構造の一例をを示す斜視図
【図５】同上の他例を示す斜視図
【図６】従来の接合構造により構成したユニットバスの概略図
【符号の説明】
【００２５】
１  壁パネル
２  化粧鋼板
３  鍍金鋼板
４  石膏ボード
５  雌実
６  ボルト穴
７  コーナーアングル
８  壁パネルスターター
９  ボルト
１０  雄実
１１  パッキン
【図１】
2005336964.tif 000003
【図２】
2005336964.tif 000004
【図３】
2005336964.tif 000005
【図４】
2005336964.tif 000006
【図５】
2005336964.tif 000007
【図６】
2005336964.tif 000008